(57)【特許請求の範囲】
【請求項１】
現在時刻を表示する時計表示部と、始業時刻、終業時刻等を個別に設定した設定項目と、設定項目ごとに設けられた設定手段と、設定項目を個別に表示する選択表示部とを備え、前記設定手段によって設定された設定値を上記時計表示部に表示するようにしたタイムレコーダにおいて、
前記各設定項目には、選択可能な複数の設定値を表示した設定値表示部を備え、この設定値表示部の設定値を前記設定手段により個別に選択して入力することを特徴とするタイムレコーダにおける設定内容の入力装置。
【請求項２】
前記設定手段がスライドスイッチによって構成された請求項１記載のタイムレコーダにおける設定内容の入力装置。
【発明の詳細な説明】
【０００１】
【発明の属する技術分野】
本発明は、タイムレコーダにおいて始業時刻、終業時刻、締め日等の設定内容が一覧できる入力装置に関する。
【０００２】
【従来の技術】
従来、タイムレコーダに始業時刻等を入力し、あるいは一旦設定した内容を変更する時は、設定キーと時計表示部とによって行っていた。すなわち、タイムレコーダを設定モードに切り替えて時計表示部に設定項目に対応したコードと時刻とを表示する。そして、設定キーを操作して時計表示部の表示を設定しようとする項目と対応するコードまで送り、その上で時計表示部の時刻表示を変更して設定された時刻をセレクト操作していた。
【０００３】
【発明が解決しようとする課題】
しかしながら、一旦設定が終わって時計表示部の表示を現在時刻に戻した時には、各設定値は目視することができず、改めて確認する為には再度設定モードに変更しなければならず、設定ミスのチェックが容易でない為、そのまま処理してしまうと設定者が予想した結果と異なる結果が出る恐れがあった。その為、設定内容を表示する表示部を新たに設けたタイムレコーダも提案されているが、設定項目と同じ数の表示部を設けなければならずコストの上昇を避けることはできなかった。
【０００４】
本発明は上記問題点を解消し、設定が容易になるとともに、設定内容の一覧性に優れ、設定項目の入力ミスを防止することができるタイムレコーダにおける設定内容の入力装置を提供することをその課題とする。
【０００５】
【課題を解決するための手段】
前記課題を解決するため、本発明に係るタイムレコーダにおける設定内容の入力装置は、現在時刻を表示する時計表示部と、始業時刻、終業時刻等を個別に設定した設定項目と、設定項目ごとに設けられた設定手段と、設定項目を個別に表示する選択表示部とを備え、前記設定手段によって設定された設定値を上記時計表示部に表示するようにしたタイムレコーダにおいて、前記各設定項目には、選択可能な複数の設定値を表示した設定値表示部を備え、この設定値表示部の設定値を前記設定手段により個別に選択して入力することを特徴とする。
【０００６】
なお、前記設定手段をスライドスイッチによって構成してもよい。
【０００７】
【発明の実施の形態】
図１はタイムレコーダ本体を示すもので、このタイムレコーダー本体には公知のものと同様に現在時刻を表示する液晶ディスプレイからなる時計表示部１が設けられ、時計表示部１の下方には設定項目別に設定内容を入力するスライドスイッチからなる複数の設定手段２〜８と、設定項目を選択したり時計を合わせたりする為の複数のファンクションキー１０〜２２とが配置された設定パネル２５が設けられている。
【０００８】
上記設定手段２〜８が設定する設定項目としては始業時刻、終業時刻、残業開始時刻、締日等があり、各設定手段２〜８の上に設定項目２ａ〜８ａが表示され、各設定項目２ａ〜８ａの横には選択されたことを明示する選択表示部（ＬＥＤ）２ｂ〜８ｂがそれぞれ配置されている。そして、設定手段２〜８を構成するスライドスイッチは所定の数のポジション（本発明では、７つのポジション）を有する多接点スイッチで、スライダ２ｃ〜８ｃを移動して選択したポジションの接点情報は、図２に示すように、Ｉ／Ｆ３２を介して制御部３０に入力され、制御部３０では認識したスライダ２ｃ〜８ｃの位置に対応した設定内容をメモリ３１にストアするとともに、設定操作時にはメモリ３１にストアされた設定内容を上記時計表示部１に表示するように構成されている。
【０００９】
なお、スライドスイッチ２〜８の各ポジションに対応する設定パネル２５上には、設定項目ごとに設定内容を案内する設定値表示部（設定値）２ｄ〜８ｄが表示され、スライダ２ｃ〜８ｃを目的の設定値に移動させれば、移動先の設定値が時計表示部１に表示され、制御部３０がその設定値を認識したことを確認することができるように構成されている。
【００１０】
ファンクションキー１０〜２２は、押圧された時にＯＮするラバーキーで構成され、例えば、ファンクションキーが押された時、制御部３０はＩ／Ｆ３３を介して入力されたファンクションキーの情報に基づいてファンクションキーの操作状況を目で確認できるように時計表示部１の表示を現在時刻からファンクションキー１０〜１３に対応した表示に変更する。このファンクションキーは、「時計合わせ」、「西暦年月日」、「日付変更時刻」、「勤務設定」等があり、「勤務設定」のファンクションキー１３が押された時は「項目送り」のファンクションキー１４の押し操作によって、設定項目２ａ〜８ａを順次選択でき、選択された設定項目のＬＥＤ２ｂ〜８ｂが点灯し、現在選択されている設定項目が分かるように構成されている。なお、ファンクションキー１０〜１３、２１の近傍には選択されたファンクションキーを明示する為のＬＥＤ１０ａ〜１３ａ、２１ａが配置され、制御部３０は押されたファンクションキーに対応したＬＥＤを点灯し、ファンクションキーを認識したことを知らせるとともに、その後の操作によって入力される情報はそのファンクションキーに関するものとして処理するように構成されている。
【００１１】
また、図１のタイムレコーダー本体の表面には図示しない前面カバーが設けられ、この前面カバーを開けることによって上記設定パネル２５が現れ、スライドスイッチ２〜８やファンクションキー１０〜２２等が操作できるように構成されている。なお、上記前面カバーはキー付きカバーで、キーを所持した担当者以外は開けられないようになっている。
【００１２】
次に、前記設定内容の入力装置の使用態様を図３のフローチャート図に基づいて説明する。先ず、キーを解除して前面カバーを開け（ステップＳＴ１）、勤務設定のファンクションキー１３を所定時間（例えば、２秒）押して勤務設定のモードにする（ステップＳＴ２）。勤務設定のモードになると、先ず、ステップＳＴ３に進み、締日のＬＥＤ２ｂが点灯し、締日の変更が可能になったことを知らせるとともに、スライドスイッチ２のスライダ２ｃの位置に表示された設定内容２ｄが時計表示部１に表示される（例えば、スライダ２ｃが月末のポジションにあれば、月末が時計表示部１に表示される）ので、締日の設定内容を変える場合は変更処理のルーチンに進む。
【００１３】
変更処理を行わない場合は、「項目送り」キー１４を押し操作すると、押し操作する毎にステップＳＴ４の早出からステップＳＴ９の休憩時間まで順次進み、目的の設定項目を選択することができる。
【００１４】
変更処理のルーチンではスライダ２ｃ〜８ｃを上下方向に移動すると（ステップＳＴ１０１）、スライダ２ｃ〜８ｃのポジションが制御部３０で認識され、スライダ２ｃ〜８ｃのポジションが数字表示位置かどうか判断し（ステップＳＴ１０２）、数字表示位置であればその位置に対応した設定情報が時計表示部１に表示されるので、その設定でよいかどうか判断し（ステップＳＴ１０３）、よければセットキー１７を押して確定すると、制御部３０はその設定情報をメモリ３１にストアし（ステップＳＴ１０４）、変更処理を終了してメインルーチン（ステップＳＴ１０）に戻る。数字表示位置でなければ（「それ以外」表示のポジション）ステップＳＴ１０５に進み、「数字送り」キー１５、「戻し」キー１６で時計表示部１上に置数し、目的とする設定値になったらステップＳＴ１０３に進んで「セット」キー１７で確定する。確定された設定値はメモリ３１にストアされ、メインルーチンに戻る。
【００１５】
次に、ステップＳＴ１１で勤務設定終了かどうか判断する。「時計に戻す」キー１９が押されなければ、勤務設定終了ではないと判断し、ステップＳＴ３に戻り設定モードは継続する。設定モードでは「項目送り」キー１４を押す度にＬＥＤの点灯が「締日」のＬＥＤ２ｂから「休憩時間」のＬＥＤ８ｂまで順次移動循環するとともに、ＬＥＤ２ｂ〜８ｂの点灯した項目の内容が時計表示部１に表示されるので、設定値を変更する場合は締日の設定と同様にスライドスイッチ２〜８のスライダ２ｃ〜８ｃを移動操作して、設定値を変更すればよい。変更する必要のない設定項目はＬＥＤが点灯しても、スライドスイッチを操作することなく「項目送り」キー１４を押し操作して次の設定項目に移動すればよい。
【００１６】
なお、ステップＳＴ１０で「時計に戻す」キー１９が押されれば勤務設定終了と判断し、すべてのＬＥＤを消灯し時計表示部１に現在時刻が表示されるので、前面カバーを閉じ（ステップＳＴ１１）、設定を終了する。
【００１７】
また、設定中に所定時間（例えば、６０秒）以上、操作が行わなければ自動的に時刻表示モードに戻るので、設定終了後「時計に戻す」キーを押し忘れて前面カバーを閉じても何ら問題は生じない。
【００１８】
設定モードを終了し、時計表示モードにすると時計表示部１には現在時刻が表示されるので設定した内容は時計表示部１から確認することはできないが、スライドスイッチ２〜８のスライダ２ｃ〜８ｃの位置から設定内容を確認することができる。
【００１９】
上述のように設定手段をスライドスイッチにしたことと、設定手段に設けたＬＥＤを点灯させて選択された設定手段を明示したので、設定項目が分かりやすく入力ミスを極端に減少させることができるとともに、スライドの位置から設定内容が容易に把握でき、一覧性に優れた入力装置を実現することができる。
【００２０】
【発明の効果】
請求項１の発明によれば、設定手段は設定値表示部と選択表示部とを備えているので、選択表示部に従って操作すれば設定項目を誤ることがない上、設定値表示部に合わせて設定手段を操作すればよいので、マニュアルなどを参照することなく簡単に設定ができ、設定内容を入力したり変更したりする場合の誤指定、誤入力を防止することができるとともに、設定時には時計表示部にも設定値が表示される。入力の操作も設定項目毎に設けられた設定手段で直接入力することができるので非常に楽である。また、時計表示部は選択された設定手段の設定内容を表示するので画面でも確認でき、入力ミスを極端に減少させることができる。また、入力装置はタイムレコーダー本体に設けられているので、紛失することがない。さらに、各設定値表示部に表示された設定値を選択するのは非常に簡単であるとともに、多数の設定項目と設定項目毎に設けられた多数の設定値表示部とが一覧表示されるので、使用する上で非常に便利である。
【００２１】
請求項２の発明によれば、設定手段をスライドスイッチにしたことにより、スライダを移動させるだけで設定が完了するとともに、スライダの位置から設定内容を容易に把握することができ、一覧性に優れた入力装置を実現することができる。
【図面の簡単な説明】
【図１】本発明に係るタイムレコーダーの前面カバーを外した状態の正面図
【図２】上記タイムレコーダーにおける設定内容の入力装置の装置構成のブロック図
【図３】上記設定内容を入力する場合のフローチャート図
【符号の説明】
１  時計表示部
２〜８  設定手段（スライドスイッチ）
２ｂ〜８ｂ  選択表示部（ＬＥＤ）
２ｄ〜８ｄ  設定値表示部
【図１】
0003575272.tif 000002
【図２】
0003575272.tif 000003
【図３】
0003575272.tif 000004